(57)【要約】【課題】二段式圧縮機の一段圧縮部と二段圧縮部とを直結する場合、中間熱交換器の出口側に配置された電磁弁の閉塞を確実にするヒートポンプユニット、および自動販売機を提供する。【解決手段】ヒートポンプユニット１００の圧縮機１の一段圧縮部１ａにおいて圧縮された冷媒は中間熱交換器２を通過した後、またはバイパスした後、二段圧縮部１ｂに流入する。中間熱交換器２の出側とバイパス配管２２との統合部との間に、電磁弁である第二開閉弁２１ｖが設置されている。第二開閉弁２１ｖは、端面貫通孔２０１および側面貫通孔２０２を具備するシリンダ２００と、シリンダ２００内に収納されたスプール２２０、弁体２１０、スプリング２３０とを有し、端面貫通孔２０１が中間熱交換器２側（至近位置Ｂ側）に連通し、側面貫通孔２０２がバイパス配管２２との統合部側（統合点Ａ）に連通している。【選択図】図４
2008275225.tif 000002
【特許請求の範囲】
【請求項１】
冷媒を圧縮する一段圧縮部および二段圧縮部を具備する二段式圧縮機と、
前記一段圧縮部において圧縮された冷媒が選択的に供給される中間熱交換器と、
前記一段圧縮部において圧縮された冷媒が、直接または前記中間熱交換器を通過した後に供給されるガスクーラと、
該ガスクーラを通過した冷媒を膨張させる膨張手段と、
該膨張手段において膨張した冷媒が供給される蒸発器と、
前記一段圧縮部の出側と前記中間熱交換器の入側とを連通する第一配管と、
前記中間熱交換器の出側と前記二段圧縮部の入側とを連通する第二配管と、
前記第一配管から分岐して前記第二配管に統合される第三配管と、
前記第一配管の前記分岐部よりも前記中間熱交換器寄りに設置された第一開閉弁と、
前記第二配管の前記統合部よりも前記中間熱交換器寄りに設置された第二開閉弁と、
前記第三配管に設置された第三開閉弁と、
を有し、前記第二開閉弁が、
端面に形成された流体が通過自在な端面貫通孔および側面に形成された流体が通過自在な側面貫通孔を具備するシリンダと、
該シリンダ内に移動自在に収納されたスプールと、
前記シリンダ内に移動自在に収納され、前記端面貫通孔を閉塞自在な弁体と、
前記スプールを前記端面貫通孔の方向に付勢するスプリングと、
前記スプールを前記端面貫通孔から遠ざける方向に電磁力を付与するマグネットと、
該マグネットを励磁する通電手段と、
を具備する電磁弁であって、
該電磁弁の端面貫通孔が前記第二配管の前記中間熱交換器側に連通し、該電磁弁の側面貫通孔が前記第二配管の前記第三配管との統合部側に連通し、
前記マグネットに通電した際、前記電磁力による前記スプールの移動によって前記弁体が前記端面貫通孔を開通して前記第二配管が開通し、
前記マグネットの通電を停止した際、前記スプリングの付勢による前記スプールの移動によって前記弁体が前記端面貫通孔を閉塞して前記第二配管が閉塞されることを特徴とするヒートポンプユニット。
【請求項２】
前記二段式圧縮機において圧縮された冷媒が選択的に供給される放熱器が設置され、
該放熱器を通過した冷媒が前記ガスクーラまたは前記膨張手段に選択的に供給されることを特徴とする請求項１記載のヒートポンプユニット。
【請求項３】
請求項２記載のヒートポンプユニットと、複数の商品収納庫と、を有する自動販売機であって、
前記ヒートポンプユニットを構成する放熱器および蒸発器が、前記商品収納庫の一方に配置され、
前記一方の商品収納庫に配置された蒸発器を除く前記ヒートポンプユニットを構成する蒸発器が、前記商品収納庫の他方に配置され、
前記一方の商品収納庫に配置された放熱器に冷媒が供給されるとき、前記一方の商品収納庫に配置された蒸発器に冷媒が供給されないことを特徴とする自動販売機。
【発明の詳細な説明】
【技術分野】
【０００１】
本発明は、ヒートポンプユニットおよび自動販売機、特に、二段式圧縮機を有するヒートポンプユニット、および該ヒートポンプユニットが設置された自動販売機に関する。
【背景技術】
【０００２】
従来、缶、ビン、パック、ペットボトル等の容器に入れた飲料等の商品を冷却または加熱して販売に供する自動販売機には、冷凍サイクルを具備するヒートポンプユニット（加熱冷却装置、冷却装置に同じ）が設置されている。かかる冷凍サイクルは、冷媒を圧縮する圧縮機と、該圧縮機により圧縮された冷媒（高圧高温冷媒に同じ）の保有する温熱を放出するガスクーラと、該ガスクーラにおいて冷却された冷媒を膨張する膨張手段（例えば、電子膨張弁）と、該膨張手段によって膨張された冷媒（低圧低温冷媒に同じ）の保有する冷熱を放出させる複数の蒸発器と、を有している。
そして、冷凍サイクルの効率を高めるため、二酸化炭素冷媒を高圧に圧縮することができる二段式圧縮機を採用する冷却装置が開示されている（例えば、特許文献１参照）。
【０００３】
【特許文献１】特開２００６−４６８１２号公報（第７−９頁、図１）
【発明の開示】
【発明が解決しようとする課題】
【０００４】
ところで、前記特許文献１に開示された発明は、二段式圧縮機を構成する一段圧縮部と二段圧縮部とを連通する配管の途中に中間熱交換器が配置され、一段圧縮部において圧縮された冷媒は中間熱交換器を経由して、あるいは中間熱交換器をバイパス（ショートカットに同じ）して二段圧縮部に流入するものである。また、一段圧縮部において圧縮された冷媒は、直接または放熱器を通過した後、温熱を放出する中間熱交換器に流入し、中間熱交換器から流出した冷媒は二段圧縮部に流入する冷媒径路を可能にしている。
このため、冷媒（高温高圧冷媒）の圧力を好適な値に制御し、二段圧縮機の運転効率を高めている。
【０００５】
また、中間熱交換器の入口側と出口側、およびバイパス回路には、それぞれ電磁弁が設置されている。かかる電磁弁は、側面に形成された側面開口部を「入口」とし、端面に形成された端面開口部を「出口」とするものであって、中間熱交換器の出口側に設置された電磁弁は、中間熱交換器から流出した冷媒が入口から流入して出口から流出するように配置されている。
しかしながら、中間熱交換器をバイパスする際、冷媒は電磁弁を通過しないものであるものの、出口を閉塞する弁体（スプリングによって出口に押し付けられている）には、一段圧縮部において圧縮された冷媒の圧力が作用して、弁の入口−出口間に圧力差が起こる。また、二酸化炭素冷媒を用いた二段式圧縮機の一段目吐出回路では冷媒の脈動が大きいため、弁体を一定して弁開できない場合があった。なお、かかる閉塞を確実にするために、スプリングの付勢を強くしたのでは、開弁のための電磁力を強化する必要があるだけでなく、開弁する際にハンチングが発生するおそれがあった。
【０００６】
本発明は上記に鑑み、二段式圧縮機の一段圧縮部と二段圧縮部とを直結する場合、中間熱交換器の出口側に配置された電磁弁の閉塞を確実にするヒートポンプユニット、および該ヒートポンプユニットが設置された自動販売機を提供することを目的とする。
【課題を解決するための手段】
【０００７】
（１）本発明に係るヒートポンプユニット（請求項１）は、冷媒を圧縮する一段圧縮部および二段圧縮部を具備する二段式圧縮機と、
前記一段圧縮部において圧縮された冷媒が選択的に供給される中間熱交換器と、
前記一段圧縮部において圧縮された冷媒が、直接または前記中間熱交換器を通過した後に供給されるガスクーラと、
該ガスクーラを通過した冷媒を膨張させる膨張手段と、
該膨張手段において膨張した冷媒が供給される蒸発器と、
前記一段圧縮部の出側と前記中間熱交換器の入側とを連通する第一配管と、
前記中間熱交換器の出側と前記二段圧縮部の入側とを連通する第二配管と、
前記第一配管から分岐して前記第二配管に統合される第三配管と、
前記第一配管の前記分岐部よりも前記中間熱交換器寄りに設置された第一開閉弁と、
前記第二配管の前記統合部よりも前記中間熱交換器寄りに設置された第二開閉弁と、
前記第三配管に設置された第三開閉弁と、
を有し、
前記第二開閉弁が、
端面に形成された流体が通過自在な端面貫通孔および側面に形成された流体が通過自在な側面貫通孔を具備するシリンダと、
該シリンダ内に移動自在に収納されたスプールと、
前記シリンダ内に移動自在に収納され、前記端面貫通孔を閉塞自在な弁体と、
前記スプールを前記端面貫通孔の方向に付勢するスプリングと、
前記スプールを前記端面貫通孔から遠ざける方向に電磁力を付与するマグネットと、
該マグネットを励磁する通電手段と、
を具備する電磁弁であって、
該電磁弁の端面貫通孔が前記第二配管の前記中間熱交換器側に連通し、該電磁弁の側面貫通孔が前記第二配管の前記第三配管との統合部側に連通し、
前記マグネットに通電した際、前記電磁力による前記スプールの移動によって前記弁体が前記端面貫通孔を開通して前記第二配管が開通し、
前記マグネットの通電を停止した際、前記スプリングの付勢による前記スプールの移動によって前記弁体が前記端面貫通孔を閉塞して前記第二配管が閉塞されることを特徴とする。
【０００８】
（２）そして、前記（１）において、前記二段式圧縮機において圧縮された冷媒が選択的に供給される放熱器が設置され、
該放熱器を通過した冷媒が前記ガスクーラまたは前記膨張手段に選択的に供給されることを特徴とする。
【０００９】
（３）また、本発明に係る自動販売機（請求項４）は、前記（２）記載のヒートポンプユニットと、複数の商品収納庫と、を有する自動販売機であって、
前記ヒートポンプユニットを構成する放熱器および蒸発器が、前記商品収納庫の一方に配置され、
前記一方の商品収納庫に配置された蒸発器を除く前記ヒートポンプユニットを構成する蒸発器が、前記商品収納庫の他方に配置され、
前記一方の商品収納庫に配置された放熱器に冷媒が供給されるとき、前記一方の商品収納庫に配置された蒸発器に冷媒が供給されないことを特徴とする。
【発明の効果】
【００１０】
（ｉ）本発明の請求項１に係るヒートポンプユニットは、マグネットに通電した際、電磁力によるスプールの移動によって弁体が端面貫通孔を開通して第二配管が開通するから、冷媒は中間熱交換器を通過することになる。
一方、マグネットの通電を停止した際、スプリングの付勢によるスプールの移動によって弁体が端面貫通孔を閉塞して第二配管が閉塞されるから、冷媒は中間熱交換器をバイパスすることになる。このとき、一段圧縮部において圧縮された冷媒の圧力は、弁体を端面貫通孔に押し付ける力として作用するから、端面貫通孔を確実に閉塞することができる。
したがって、電磁弁の漏れ量が大幅に低減するから運転効率が向上すると共に、冷媒の脈動に起因する電磁弁の異音の発生が抑えられる。また、スプリングの付勢を強力にする必要がないため、スプリングの小型化を図ることができるから、小容量・小型化のマグネットであっても第二配管を確実に開通することが可能になる。
【００１１】
（ｉｉ）また、本発明の請求項２に係るヒートポンプユニットは、放熱器の負荷量が調整できるから、冷媒量過多をより確実に防止することができる。そして、二段式圧縮機において圧縮された冷媒が選択的に供給される放熱器が設置されるから、温熱を利用する機器に広く設置することができる。
【００１２】
（ｉｉｉ）本発明の請求項３に係る自動販売機は、前述のように電磁弁の漏れ量が大幅に低減して運転効率が向上すると共に、冷媒の脈動に起因する電磁弁の異音の発生が抑えられたヒートポンプユニットが設置されるから、放熱器の温度が高く維持され、自動販売機自体の運転効率が向上し、また、ヒートポンプユニットを収容する機械室の遮音（防音）対策を簡素にすることができる。よって、運転コストおよび製造コストを低く抑えることができる。
【発明を実施するための最良の形態】
【００１３】
［実施の形態１：ヒートポンプユニット］
（全冷却運転）
図１および図２は本発明の実施の形態１に係るヒートポンプユニットを説明する構成図であって、図１は全冷却運転における冷媒の流れを実線で示す全体図、図２の（ａ）は図１の部分拡大図、図２の（ｂ）は電磁弁を説明する模式断面図である。
図１および図２において、ヒートポンプユニット１００は、冷媒を圧縮する圧縮機１と、圧縮機１により圧縮された冷媒（以下「高圧高温冷媒」と称す）を冷却するガスクーラ（熱交換器に同じ）４と、ガスクーラ４により冷却された冷媒を膨張する膨張手段５（たとえば、電子膨張弁）およびキャピラリチューブ６と、膨張手段５およびキャピラリチューブ６により膨張された冷媒（以下「低圧低温冷媒」と称す）を蒸発させる蒸発器７とを有する。
また、圧縮機１により圧縮された高圧高温冷媒が供給される放熱器３と、膨張手段５に流入する直前の冷媒（温熱を有する）と蒸発器７から流出した後の冷媒（冷熱を有する）との間で、熱交換をする熱回収手段（以下「内部熱交換器」と称す）８と、を有している。
【００１４】
（高圧冷媒系）
圧縮機１は低圧圧縮部１ａと二段圧縮部１ｂとを具備する二段圧縮機であって、低圧圧縮部１ａにおいて圧縮された冷媒は、中間熱交換器２を通過した後、あるいは中間熱交換器２をバイパス（ショートカットに同じ）した後、二段圧縮部１ｂに流入する。
すなわち、低圧圧縮部１ａと中間熱交換器２とは第一開閉弁１２ｖが設置された第一配管１２によって連通し、中間熱交換器２と二段圧縮部１ｂとは第二開閉弁２１ｖが設置された第二配管２１によって連通し、中間熱交換器２の流入側（分岐点Ｃ）と流出側（統合点Ａ）とはバイパス開閉弁２２ｖ（課題を解決するための手段に記載された第三開閉弁に相当する）が設置されたバイパス配管２２（課題を解決するための手段に記載された第三配管に相当する）によって連通している。なお、第二開閉弁２１ｖは、中間熱交換器２の流出側の至近位置Ｂと統合点Ａとの間に配置されている（図２の（ａ）参照）。
【００１５】
圧縮機１と放熱器３とは開閉弁１３ｖが設置された配管１３によって連通し、放熱器３とガスクーラ４とは逆止弁３４ｎおよび開閉弁３４ｖが設置された配管３４によって連通している。
圧縮機１とガスクーラ４とは開閉弁１４ｖが設置された配管１４によって連通している。また、圧縮機１の入側と出側とを連通するバイパス配管４４（バイパス開閉弁４４ｖが設置されている）が設置されている。
内部熱交換器８は高温熱交換部８ａと低温熱交換部８ｂとを有し、ガスクーラ４と高温熱交換部８ａとが逆止弁４８ｎが設置された配管４８によって連通し、高温熱交換部８ａと膨張手段５とが配管８５によって連通している。
【００１６】
（低圧冷媒系）
キャピラリチューブ６は、第一キャピラリチューブ６ａ、第二キャピラリチューブ６ｂ、第三キャピラリチューブ６ｃから構成され、蒸発器７は第一蒸発器７ａ、第二蒸発器７ｂ、第三蒸発器７ｃから構成されている（以下、「第一、第二、第三」を省略する場合がある）。
膨張手段５と蒸発器７とを連通する配管５６は分配器（図示しない）において分岐し、、開閉弁５６ａｖおよび第一キャピラリチューブ６ａが設置された第一蒸発器７ａに連通する配管５６ａと、開閉弁５６ｂｖおよび第二キャピラリチューブ６ｂが設置された第二蒸発器７ｂに連通する配管５６ｂと、開閉弁５６ｃｖおよび第三キャピラリチューブ６ｃが設置された第三蒸発器７ｃに連通する配管５６ｃと、になっている。
【００１７】
そして、第一蒸発器７ａ、第二蒸発器７ｂ、第三蒸発器７ｃの下流側は分配器（図示しない）において統合され、内部熱交換器８の低温熱交換部８ｂに配管７８によって連通している。さらに、低温熱交換部８ｂと圧縮機１の低圧圧縮部１ａとが配管８１によって連通している。
なお、圧縮機１の二段圧縮部１ｂの出側における高圧高温冷媒の温度（吐出温度に同じ）を測定するための温度計９１と、蒸発器７ａ、７ｂ、７ｃの入側における低圧低温冷媒の温度を測定するための温度計９７ａ、９７ｂ、９７ｃがそれぞれ設置されている。
【００１８】
（全冷却運転）
制御装置（図示しない）は、全ての蒸発器７に低圧低温冷媒を供給する「全冷却運転」をするとき、開閉弁１３ｖを閉じて、圧縮機１において生成された高温高圧冷媒をガスクーラ４に直接流入させ、ガスクーラ４を通過した冷媒を膨張手段５において膨張させ、該膨張によって生成された低圧低温冷媒を、開閉弁５６ａｖ、５６ｂｖ、５６ｃｖを開いて、キャピラリチューブ６ａ、６ｂ、６ｃを通過した後、蒸発器７ａ、７ｂ、７ｃに供給している。蒸発器７ａ、７ｂ、７ｃに蒸発器７において冷熱を放出して冷媒は、内部熱交換器において膨張手段５に流入直前の冷媒に、冷熱を受け渡した後、圧縮機１に戻している。図中、冷媒が流れない配管を破線で示している。
【００１９】
（電磁弁）
第二開閉弁２１ｖは電磁弁であって、端面に形成された流体が通過自在な端面貫通孔２０１および側面に形成された流体が通過自在な側面貫通孔２０２を具備するシリンダ２００と、シリンダ２００内に移動自在に収納されたスプール２２０と、シリンダ２００内に移動自在に収納され、端面貫通孔２０１を閉塞自在な弁体２１０と、スプール２２０を端面貫通孔２０１の方向に付勢するスプリング２３０と、スプール２２０を端面貫通孔２０１から遠ざける方向に電磁力を付与する図示しないマグネットと、該マグネットを励磁する通電手段と、を具備する。
そして、端面貫通孔２０１が第二配管２１の中間熱交換器２側（至近位置Ｂ側）に連通し、側面貫通孔２０２が第二配管２１のバイパス配管２２との統合部側（統合点Ａ）に連通している。
そして、マグネットに通電した際、スプール２２０は、スプリング２３０の付勢に打ち勝って電磁力によって端面貫通孔２０１から遠ざかる方向に移動するから、端面貫通孔２０１は開通し、冷媒は第二配管２１を至近位置Ｂから統合点Ａに向けて流れることになる（図２の（ｂ）参照）。
【００２０】
（ヒートポンプ運転）
図３および図４は本発明の実施の形態１に係るヒートポンプユニットを説明する構成図であって、図３はヒートポンプ運転における冷媒の流れを実線で示す全体図、図４の（ａ）は図３の部分拡大図、図４の（ｂ）は電磁弁を説明する模式断面図である。図３および図４において、ヒートポンプユニット１００の構成は図１に同じであるから説明を省略する。  
制御装置（図示しない）は、放熱器３に高圧高温冷媒を供給し、蒸発器７ｂ、７ｃに低圧低温冷媒を供給する（本発明において「ヒートポンプ運転」と称している）とき、開閉弁１３ｖを開いて開閉弁１４ｖを閉じて、圧縮機１において生成された高温高圧冷媒を放熱器３に直接流入させ、放熱器３を通過した冷媒を膨張手段５に流入させている。
【００２１】
すなわち、バイパス開閉弁４４ｖを開いて開閉弁３４ｖを閉じているから、放熱器３において温熱を放出した高圧高温冷媒はガスクーラ４をバイパスした後、内部熱交換器８を通過して膨張手段５に流入する。膨張手段５によって生成された低圧低温冷媒を、開閉弁５６ｂｖ、５６ｃｖを開いて、キャピラリチューブ６ｂ、６ｃを通過した後、蒸発器７ｂ、７ｃに供給している。このとき、開閉弁５６ａｖは閉じているから、蒸発器７ａに低圧低温冷媒が流入することはない。
さらに、蒸発器７ｂ、７ｃにおいて冷熱を放出して低圧低温冷媒を、内部熱交換器において膨張手段５に流入直前の高圧高温冷媒に、冷熱を受け渡した後、圧縮機１に戻している。図中、冷媒が流れない配管を破線で示している。
【００２２】
（電磁弁）
電磁弁である第二開閉弁２１ｖは、図示しないマグネットは励磁されていない（通電を中止している）から、スプール２２０はスプリング２３０の付勢によって端面貫通孔２０１に押し付けられている。すなわち、端面貫通孔２０１は閉塞し、冷媒は第二配管２１を統合点Ａから至近位置Ｂに向けて逆流することがない（図４の（ｂ）参照）。
このとき、統合点Ａ側の冷媒の圧力「ＰＡ」は、至近位置Ｂ側の圧力「ＰＢ」より高いから、弁体２１０はかかる圧力差によっても端面貫通孔２０１に押し付けられるから、冷媒に脈動が生じても、前記押し付けが緩むことがなく、確実な閉塞が維持される。
したがって、第二開閉弁２１ｖの漏れによる運転効率の低下や、冷媒の脈動に起因する異音の発生が、抑えられる。さらに、閉塞を確実にするために、スプリング２３０の付勢を強くしたり、開弁のための電磁力を強化したりする必要がなくなり、開弁する際にハンチングが発生するおそれも解消する。
【００２３】
［実施の形態２：自動販売機］
図５および図６は本発明の実施の形態２に係る自動販売機を説明する構成図であって、図５は正面視の断面図、図６は側面視の断面図である。
図１１において、自動販売機（以下「自販機」と称す）１０００は、自販機１０００の本体のキャビネット３００と、キャビネット３００の内部で断熱材３１０に包囲された商品収納庫４０１と、商品Ｓを補充する時に商品収納庫４０１を開閉する商品補充用扉４０４と、商品収納庫４０１と外気を遮断するための内扉４０５と、自販機１０００の前扉４０６と、を有している。商品収納庫４０１は仕切り板４０３ＡＢ、４０３ＢＣによって商品室４０２Ａ、４０２Ｂ、４０２Ｃに仕切られている。なお、以下の説明において、商品室４０２Ａ、４０２Ｂ、４０２Ｃにおいて共通する内容については添え字「Ａ、Ｂ、Ｃ」の記載を省略する。
【００２４】
各商品室４０２には、商品Ｓを収納するための商品収納ラック４０７と、商品収納ラック４０７から自然落下した商品Ｓを取出すための商品取出し口４０９と、商品Ｓを商品取出し口４０９まで誘導する商品誘導板４０８とが設置され、商品誘導板４０８の下方が庫内部品収納室４１０となっている。また、庫内空気を商品収納ラック４０７を経由して庫内部品収納室４１０に循環させるための循環ダクト４２０が設置されている。
そして、庫内部品収納室４１０には、庫内空気を商品誘導板４０８（通気孔が設けられている）を通過して商品Ｓに衝突させる送風手段４３０と、送風手段４３０の下流側（循環ダクト４２０から遠い側）に庫内熱交換器４４０と、送風手段４３０および庫内熱交換器４４０を収納する送風ダクト４５０と、送風ダクト４５０に連通して空気を通す風洞４６０と、庫内空気の温度を計測する庫内温度センサー５００とが設置されている。
さらに、商品収納庫４０１の下方には、ヒートポンプユニット１００（実施の形態１参照）のコンデンシングユニット１１０および庫外ファン１２０を収納するための機械室４８０と、電装品を収納するための電装品収納室４９０とが配置されている。
【００２５】
（庫内熱交換器）
庫内熱交換器４４０は、商品室４０２Ａにおいてはヒートポンプユニット１００の放熱器３および第一蒸発器７ａを、商品室４０２Ｂにおいてはヒートポンプユニット１００の第二蒸発器７ｂを、商品室４０２Ｃにおいてはヒートポンプユニット１００の第三蒸発器７ｃを、それぞれ指している。
すなわち、ヒートポンプユニット１００は、冷媒が中間熱交換器２を経由して圧縮機１の二段圧縮部１ｂに流入するための第二配管２１に前述の第二開閉弁２１ｖ（電磁弁）が設置され、かつ、中間熱交換器２のバイパス配管４４が設けられているから、冷媒の中間熱交換器２のバイパスが確実になっている。
よって、自動販売機１０００は、ヒートポンプユニット１００がヒートポンプ運転をする際、すなわち、商品室４０２Ａを加熱する「ＣＣＨモード」際、第二開閉弁２１ｖが確実に閉塞するから、運転効率が向上すると共に、冷媒の脈動に起因する異音の発生を抑えることができる。よって、運転コストが低減すると共に、ヒートポンプユニット１００を収容する機械室の遮音（防音）を簡素にすることができるから、製造コストが低減する。
【産業上の利用可能性】
【００２６】
本発明によれば、ヒートポンプ運転において省エネ効果が得られるから、各種ヒートポンプユニットおよびこれが設置された各種自動販売機として広く利用することができる。
【図面の簡単な説明】
【００２７】
【図１】本発明の実施の形態１に係るヒートポンプユニットを説明する構成図であって、全冷却運転における冷媒の流れを実線で示す全体図。
【図２】図１の部分拡大図および電磁弁を説明する模式断面図。
【図３】本発明の実施の形態１に係るヒートポンプユニットを説明する構成図であって、ヒートポンプ運転における冷媒の流れを実線で示す全体図。
【図４】図３の部分拡大図および電磁弁を説明する模式断面図。
【図５】本発明の実施の形態２に係る自動販売機を説明する正面視の断面図。
【図６】本発明の実施の形態２に係る自動販売機を説明する側面視の断面図。
【符号の説明】
【００２８】
１   圧縮機
１ａ 低圧圧縮部
１ｂ 二段圧縮部
２   中間熱交換器
３   放熱器
４   ガスクーラ
６ａ 第一キャピラリチューブ
６ｂ 第二キャピラリチューブ
６ｃ 第三キャピラリチューブ
７ａ 第一蒸発器
７ｂ 第二蒸発器
７ｃ 第三蒸発器
８   内部熱交換器
８ａ 高温熱交換部
８ｂ 低温熱交換部
１２   第一配管
１２ｖ 第一開閉弁
２１   第二配管
２１ｖ 第二開閉弁
２２   バイパス配管（第三配管）
２２ｖ バイパス開閉弁（第三開閉弁）
１００ ヒートポンプユニット
１１０ コンデンシングユニット
１２０ 庫外ファン
２００ シリンダ
２０１ 端面貫通孔
２０２ 側面貫通孔
２１０ 弁体
２２０ スプール
２３０ スプリング
３００ キャビネット
３１０ 断熱材
４０１ 商品収納庫
４０２ 商品室
４０４ 商品補充用扉
４０５ 内扉
４０６ 前扉
４０７ 商品収納ラック
４０８ 商品誘導板
４０９ 商品取出し口
４１０ 庫内部品収納室
４２０ 循環ダクト
４３０ 送風手段
４４０ 庫内熱交換器
４５０ 送風ダクト
４６０ 風洞
４８０ 機械室
４９０ 電装品収納室
５００ 庫内温度センサー
１０００ 自販機
Ａ 統合点
Ｂ 至近位置
Ｃ 分岐点
Ｓ 商品
【図１】
2008275225.tif 000003
【図２】
2008275225.tif 000004
【図３】
2008275225.tif 000005
【図４】
2008275225.tif 000006
【図５】
2008275225.tif 000007
【図６】
2008275225.tif 000008